(57)【要約】【課題】  ホログラム記録再生技術において、ホログラムの状態を判定要素とした高精度のエネルギー最適化技術を提供する【解決手段】  ホログラム記録再生装置であって、エネルギーの学習処理として、前記記録媒体のプリキュアを実施していない第１の領域に多重記録し、多重記録した前記第１の領域を多重再生および再生光量を測定し、前記多重記録において前記第１の領域が露光した累積露光エネルギーと、前記再生光量の測定結果とに基づき、前記記録媒体のプリキュアエネルギー、記録エネルギー、または、ポストキュアエネルギーのうち少なくとも一つを導出する。【選択図】  図５ａ
2016038926.tif 000002
【特許請求の範囲】
【請求項１】
記録媒体に対して、配列状に情報を重畳した信号光と参照光との干渉縞を多重記録するホログラム記録再生装置であって、
多重記録の前露光処理であるプリキュアまたは後露光処理であるポストキュアにおけるキュア光を照射するキュア光学部と、
前記キュア光学部を用いて、プリキュアまたはポストキュアを実施するキュア部と、
多重記録における信号光と参照光との照射と、多重再生における参照光の照射および再生光を受光する記録再生光学部と、
前記記録再生光学部を用いて、多重記録、多重再生および多重再生時の再生光量の測定と、を実施する多重記録再生部と、
前記キュア部、前記多重記録再生部を制御する制御部と、
を備え、
前記多重記録再生部は、前記記録媒体のプリキュアを実施していない第１の領域に多重記録し、多重記録した前記第１の領域を多重再生および再生光量を測定し、
前記キュア部は、前記第１の領域とは異なる第２の領域にプリキュア、または、ポストキュアを行い、
前記多重記録再生部は、前記第２の領域に多重記録を行う、
ことを特徴とするホログラム記録再生装置。
【請求項２】
請求項１に記載のホログラム記録再生装置であって、
前記制御部は、前記多重記録において前記第１の領域に露光した累積露光エネルギーと、前記再生光量の測定結果とに基づき、前記記録媒体のプリキュアエネルギー、記録エネルギー、または、ポストキュアエネルギーのうち少なくとも一つを導出する、
ホログラム記録再生装置。
【請求項３】
請求項２に記載のホログラム記録再生装置であって、
前記干渉縞を記録または再生の一単位であるページとし、前記ページを複数ページ多重してブックとして前記記録媒体に記録し、
前記制御部は、
ページ番号と再生光量の関係線の傾きがプラスから略ゼロの状態に遷移するページ番号ｐ１（ｐ１は自然数）を導出し、
前記多重記録で多重数ｐ１になるまでに前記第１の領域に露光したエネルギーｅ１に基づいて、前記記録媒体のプリキュアエネルギーを導出する、
ことを特徴とするホログラム記録再生装置。
【請求項４】
請求項２に記載のホログラム記録再生装置であって、
前記干渉縞を記録または再生の一単位であるページとし、前記ページを複数ページ多重してブックとして前記記録媒体に記録し、
前記制御部は、
多重記録した前記第１の領域を多重再生し、ページ番号と再生光量の関係線の傾きがプラスから略ゼロの状態に遷移するページ番号ｐ１と、前記傾きが略ゼロの状態からマイナスに遷移するページ番号ｐ２（ｐ１、ｐ２は自然数）を導出し、
前記多重記録でページ番号がｐ１からｐ２になるまでに前記第１の領域に露光したエネルギーｅ２に基づいて、前記記録媒体の記録エネルギーを導出する、
ことを特徴とするホログラム記録再生装置。
【請求項５】
請求項２に記載のホログラム記録再生装置であって、
前記干渉縞を記録または再生の一単位であるページとし、前記ページを複数ページ多重してブックとして前記記録媒体に記録し、
前記制御部は、
多重記録した前記第１の領域を多重再生し、ページ番号と再生光量の関係線の傾きが略ゼロの状態からマイナスに遷移するページ番号ｐ２、および、前記再生光量が減少し、略ゼロになるページ番号p３（ｐ２、ｐ３は自然数）を導出し、
前記多重記録でページ番号がｐ２からｐ３になるまでに前記第１の領域が露光したエネルギーｅ３に基づいて、前記記録媒体のポストキュアエネルギーを導出する、
ことを特徴とするホログラム記録再生装置。
【請求項６】
請求項４に記載のホログラム記録再生装置であって、
前記干渉縞を記録または再生の一単位であるページとし、前記ページを複数ページ多重してブックとして前記記録媒体に記録し、
前記制御部は、前記記録エネルギーに基づいて、前記記録エネルギーを発生させるパワー値および時間変化で定義される記録パワー波形を導出する、
ことを特徴とするホログラム記録再生装置。
【請求項７】
請求項２に記載のホログラム記録再生装置であって、
前記干渉縞を記録または再生の一単位であるページとし、前記ページを複数ページ多重してブックとして前記記録媒体に記録し、
前記制御部は、
前記多重記録した順番とは逆の順番で複数ページを多重再生し、ページ番号と再生光量の関係線の傾きが略ゼロの状態から遷移するページ番号ｐ１（ｐ１は自然数）を導出し、
前記多重記録で多重数ｐ１になるまでに前記第１の領域に露光したエネルギーｅ１に基づいて、前記記録媒体のプリキュアエネルギーを導出する、
ことを特徴とするホログラム記録再生装置。
【請求項８】
請求項２に記載のホログラム記録再生装置であって、
前記干渉縞を記録または再生の一単位であるページとし、前記ページを複数ページ多重してブックとして前記記録媒体に記録し、
前記制御部は、前記多重記録において、少なくとも１ページでは、前記信号光に重畳した配列状の情報の要素すべてが同じ情報を記録するよう、多重記録再生部を制御する、
ことを特徴とするホログラム記録再生装置。
【請求項９】
記録媒体に対して、配列状に情報を重畳した信号光と参照光との干渉縞を多重記録するホログラム記録再生装置であって、
多重記録における信号光と参照光との照射と、前露光処理であるプリキュアまたは後露光処理であるポストキュアにおける参照光の照射と、多重再生における参照光の照射および再生光を受光する記録再生光学部と、
前記記録再生光学部を用いて、プリキュアまたはポストキュアを実施するキュア部と、
前記記録再生光学部を用いて、多重記録、多重再生および多重再生時の再生光量の測定と、を実施する多重記録再生部と、
前記キュア部、前記多重記録再生部、および、前記ホログラム記録再生装置の外部からの入力情報及び出力情報との入出力と、を制御する制御部と、
を備え、
前記多重記録再生部は、前記記録媒体のプリキュアを実施していない第１の領域に多重記録し、多重記録した前記第１の領域を多重再生および再生光量を測定し、
前記キュア部は、前記第１の領域とは異なる第２の領域にプリキュア、または、ポストキュアを行い、
前記多重記録再生部は、前記第２の領域に多重記録を行う、
ことを特徴とするホログラム記録再生装置。
【請求項１０】
記録媒体に対して、配列状に情報を重畳した信号光と参照光との干渉縞を多重記録するホログラム記録再生方法であって、
多重記録の前露光処理であるプリキュアまたは後露光処理であるポストキュアにおけるキュア光を照射してプリキュアまたはポストキュアを実施するキュアステップと、
多重記録における信号光と参照光との照射と、多重再生における参照光の照射および再生光を受光し、多重記録、多重再生および多重再生時の再生光量の測定と、を実施する多重記録再生ステップと、
前記キュアステップ、前記多重記録再生ステップを制御する制御ステップと、
を備え、
前記多重記録再生ステップは、前記記録媒体のプリキュアを実施していない第１の領域に多重記録し、多重記録した前記第１の領域を多重再生および再生光量を測定し、
前記キュアステップは、前記第１の領域とは異なる第２の領域にプリキュア、または、ポストキュアを行う、
ことを特徴とするホログラム記録再生方法。
【請求項１１】
請求項１０に記載のホログラム記録再生方法であって、
前記制御ステップでは、前記多重記録において前記第１の領域が露光した累積露光エネルギーと、前記再生光量の測定結果とに基づき、前記記録媒体のプリキュアエネルギー、記録エネルギー、または、ポストキュアエネルギーのうち少なくとも一つを導出する、
ホログラム記録再生方法。
【請求項１２】
請求項１１に記載のホログラム記録再生方法であって、
前記干渉縞を記録または再生の一単位であるページとし、前記ページを複数ページ多重してブックとして前記記録媒体に記録し、
前記制御ステップでは、
ページ番号と再生光量の関係線の傾きがプラスから略ゼロの状態に遷移するページ番号ｐ１（ｐ１は自然数）を導出し、
前記多重記録で多重数ｐ１になるまでに前記第１の領域に露光したエネルギーｅ１に基づいて、前記記録媒体のプリキュアエネルギーを導出する、
ことを特徴とするホログラム記録再生方法。
【請求項１３】
請求項１１に記載のホログラム記録再生方法であって、
前記干渉縞を記録または再生の一単位であるページとし、前記ページを複数ページ多重してブックとして前記記録媒体に記録し、
前記制御ステップでは、
多重記録した前記第１の領域を多重再生し、ページ番号と再生光量の関係線の傾きがプラスから略ゼロの状態に遷移するページ番号ｐ１と、前記傾きが略ゼロの状態からマイナスに遷移するページ番号ｐ２（ｐ１、ｐ２は自然数）を導出し、
前記多重記録でページ番号がｐ１からｐ２になるまでに前記第１の領域に露光したエネルギーｅ２に基づいて、前記記録媒体の記録エネルギーを導出する、
ことを特徴とするホログラム記録再生方法。
【請求項１４】
請求項１１に記載のホログラム記録再生方法であって、
前記干渉縞を記録または再生の一単位であるページとし、前記ページを複数ページ多重してブックとして前記記録媒体に記録し、
前記制御ステップでは、
多重記録した前記第１の領域を多重再生し、ページ番号と再生光量の関係線の傾きが略ゼロの状態からマイナスに遷移するページ番号ｐ２、および、前記再生光量が減少し、略ゼロになるページ番号p３（ｐ２、ｐ３は自然数）を導出し、
前記多重記録でページ番号がｐ２からｐ３になるまでに前記第１の領域に露光したエネルギーｅ３に基づいて、前記記録媒体のポストキュアエネルギーを導出する、
ことを特徴とするホログラム記録再生方法。
【請求項１５】
請求項１３に記載のホログラム記録再生方法であって、
前記干渉縞を記録または再生の一単位であるページとし、前記ページを複数ページ多重してブックとして前記記録媒体に記録し、
前記制御ステップでは、前記記録エネルギーに基づいて、前記記録エネルギーを発生させるパワー値および時間変化で定義される記録パワー波形を導出する、
ことを特徴とするホログラム記録再生方法。
【請求項１６】
請求項１１に記載のホログラム記録再生方法であって、
前記干渉縞を記録または再生の一単位であるページとし、前記ページを複数ページ多重してブックとして前記記録媒体に記録し、
前記制御ステップでは、
前記多重記録した順番とは逆の順番で複数ページを多重再生し、ページ番号と再生光量の関係線の傾きが略ゼロの状態から遷移するページ番号ｐ１（ｐ１は自然数）を導出し、
前記多重記録で多重数ｐ１になるまでに前記第１の領域に露光したエネルギーｅ１に基づいて、前記記録媒体のプリキュアエネルギーを導出する、
ことを特徴とするホログラム記録再生方法。
【請求項１７】
請求項１１に記載のホログラム記録再生方法であって、
前記干渉縞を記録または再生の一単位であるページとし、前記ページを複数ページ多重してブックとして前記記録媒体に記録し、
前記制御ステップでは、前記多重記録において、少なくとも１ページでは、前記信号光に重畳した配列状の情報の要素すべてが同じ情報を記録するよう、多重記録再生ステップを制御する、
ことを特徴とするホログラム記録再生方法。
【発明の詳細な説明】
【技術分野】
【０００１】
本発明は、ホログラム記録再生技術に関する。
【背景技術】
【０００２】
ホログラム記録再生技術には、特許文献１記載のものがある。
【０００３】
特許文献１には、段落００４７に、「光情報記録媒体１から透過したキュア光を光検出器３０６により検出する。」、「本発明では、この透過光量の変化を利用し、プリキュア時間をリアルタイムで調整する。」、と記載がある。
【先行技術文献】
【特許文献】
【０００４】
【特許文献１】特開２０１３−７７３４７号公報
【発明の概要】
【発明が解決しようとする課題】
【０００５】
特許文献１では、プリキュア最適化の判定要素が、記録再生の要であるホログラムの状態でないため、最適化の精度が不十分であると考えられる。
【０００６】
以上を鑑みて、本発明の課題は、ホログラム記録再生技術において、ホログラムの状態を判定要素とした高精度のエネルギー最適化技術を提供することである。
【課題を解決するための手段】
【０００７】
上記課題を解決するための手段は、例えば、以下の構成が挙げられる。
【０００８】
記録媒体に対して、配列状に情報を重畳した信号光と参照光との干渉縞を多重記録するホログラム記録再生装置であって、多重記録の前露光処理であるプリキュアまたは後露光処理であるポストキュアにおけるキュア光を照射するキュア光学部と、前記キュア光学部を用いて、プリキュアまたはポストキュアを実施するキュア部と、多重記録における信号光と参照光との照射と、多重再生における参照光の照射および再生光を受光する記録再生光学部と、前記記録再生光学部を用いて、多重記録、多重再生および多重再生時の再生光量の測定と、を実施する多重記録再生部と、前記キュア部、前記多重記録再生部を制御する制御部と、を備え、前記多重記録再生部は、前記記録媒体のプリキュアを実施していない第１の領域に多重記録し、多重記録した前記第１の領域を多重再生および再生光量を測定し、前記キュア部は、前記第１の領域とは異なる第２の領域にプリキュア、または、ポストキュアを行い、前記多重記録再生部は、前記第２の領域に多重記録を行う。
【発明の効果】
【０００９】
本発明によれば、ホログラム記録再生技術において、ホログラムの状態を判定要素とした高精度のエネルギー最適化技術を提供できる。
【図面の簡単な説明】
【００１０】
【図１】実施例１における累積露光エネルギー対再生光量の関係図
【図２】実施例１におけるホログラム媒体のページ番号対再生光量の関係図
【図３】実施例１のホログラム記録再生装置のブロック図
【図４ａ】実施例１における制御部の動作フロー図
【図４ｂ】実施例１における制御部の動作フロー図
【図４ｃ】実施例１における制御部の動作フロー図
【図５ａ】実施例１における制御部の動作フロー図
【図５ｂ】実施例１における制御部の動作フロー図
【図５ｃ】実施例１における制御部の動作フロー図
【図５ｄ】実施例１における制御部の動作フロー図
【図５ｅ】実施例１における制御部の動作フロー図
【図６ａ】実施例１における制御部のエネルギー最適化の処理フロー図
【図６ｂ】実施例１における制御部のエネルギー最適化の処理フロー図
【図６ｃ】実施例１における制御部のエネルギー最適化の処理フロー図
【図７】実施例２における制御部のフロー図
【図８ａ】実施例２における制御部の動作フロー図
【図８ｂ】実施例２における制御部の動作フロー図
【図９】実施例３のホログラム記録再生装置のブロック図
【図１０】実施例４における多重記録再生におけるページ番号対再生光量の関係図
【図１１ａ】実施例４における制御部の動作フロー図
【図１１ｂ】実施例４における制御部の動作フロー図
【図１１ｃ】実施例４における制御部の動作フロー図
【図１２】実施例４における制御部のエネルギー最適化の処理フロー図
【図１３】実施例５における制御部の動作フロー図
【発明を実施するための形態】
【００１１】
本発明の実施形態を説明する。
【００１２】
なお、以下の説明においては、実施例１と他の実施例とで共通な部分は、実施例１のみで説明する。また、他の実施例では、実施例１と共通な部分は割愛し、実施例１との相違点のみを説明する。
【００１３】
また、以下で説明する実施例は一例であり、技術的に容易に類推できる変形例を排除するものではない。
【実施例１】
【００１４】
まず、ホログラム記録再生装置における多重記録再生原理の簡単に説明する。ここで、本原理は、特許文献１にもあるように、公知であり、本実施例の特徴でないため、詳細は割愛する。
【００１５】
ホログラム記録原理は、情報を行列状に重畳した記録用信号光と記録用参照光とをホログラム媒体内で交差するように照射し、記録用信号光に応じた干渉縞パターンを発生させることで、ホログラム媒体内に干渉縞パターンに応じたホログラムが形成される、というものである。
【００１６】
ホログラム再生原理は、再生用参照光をホログラム媒体内のホログラムに照射することで、ホログラムに応じた回折光が再生される、というものである。
【００１７】
多重記録（再生）原理は、記録（再生）用参照光の角度（照射光の光学的条件）を変えて記録（再生）する、というものである。
【００１８】
なお、本実施例では、１つのホログラムをページ、同領域に多重記録されたページの集合をブックと称する。
【００１９】
図１は、実施例１のホログラム記録再生装置のホログラム媒体における累積露光エネルギー対再生光量の関係図である。
【００２０】
本図は、横軸がホログラム媒体への累積露光エネルギー、縦軸がホログラム媒体からの再生光量を示しており、その関係線が、同一ホログラム媒体の同一位置における累積露光エネルギー対再生光量の関係を表す。
【００２１】
本図の累積露光エネルギー対再生光量の関係線は、記録媒体の状態を示しており、左端から、点線で示した保護領域と、実線で示した記録領域と、破線で示した不安定領域と、一点鎖線で示した安定領域と、の４つの領域に分割される。
【００２２】
保護領域は、外乱光等意図しないエネルギーによる記録領域への遷移を抑止することで、記録領域を保護する領域である。この保護領域の存在により、記録準備として、ある一定の露光エネルギーを与えることで、記録媒体状態を使用領域に到達させる必要がある。すなわち、多重記録の前露光処理であるプリキュア処理として、ホログラム媒体にプリキュア光を照射することで、所定の露光エネルギーを与える必要がある。
【００２３】
記録領域は、所定の記録エネルギーで複数ページを多重記録実施可能な線形性のある領域である。この使用領域の全域にわたる有効活用のためには、所望の多重記録再生ページ数で使用領域の始端から終端までの累積露光エネルギーに到達するような記録エネルギーを与える必要がある。すなわち、１ページあたりの記録エネルギーを、使用領域の累積露光エネルギーを所望の多重記録再生ページ数で分割したエネルギーとすることが必要である。
【００２４】
不安定領域は、非線形ゆえに記録に使用しないが、外乱光等意図しないエネルギーに応じた再生光量の変化が起こる領域である。すなわち、多重記録済みの情報に影響を及ぼす可能性がある。したがって、外乱光等による不正記録防止のためには、所定の露光エネルギーを与えることで、この不安定領域から安定領域に到達させる必要がある。すなわち、多重記録の後露光処理であるポストキュア処理として、ホログラム媒体にポストキュア光を照射することで、所定の露光エネルギーを与える必要がある。
【００２５】
安定領域は、外乱光等意図しないエネルギーが与えられても、媒体状態に影響がない安定な領域である。
【００２６】
ここで、本図の異なる２つ関係線のように、異なる２つのホログラム媒体においては、夫々の累積再生光量対露光エネルギーの関係が異なる。したがって、ホログラム記録再生装置においては、プリキュアエネルギー、記録エネルギー、ポストエネルギーを、ホログラム媒体毎に、制御することが望ましく、これにより、ホログラム媒体の記録キャパシティの有効活用や各露光時間の無駄排除が可能になる。
【００２７】
例えば、本図の特性のホログラム媒体においては、プリキュアエネルギーとポストキュアエネルギーは、媒体１がＥ１１とＥ１３、媒体２１がＥ２１とＥ２３、と異なる。また、記録エネルギーの決定要因である使用領域の始端から終端までの累積露光エネルギーは、媒体１がＥ１２、媒体２がＥ２２、となり、媒体１と媒体２でそれぞれ異なる。
【００２８】
なお、図示していないが、同一媒体であっても、記録時の温度や湿度等の環境が異なる場合、そのプリキュアエネルギー、記録エネルギー、ポストキュアエネルギーが異なる。
【００２９】
以上を鑑みて、本実施例は、ホログラム記録再生装置において、ホログラム媒体の個体特性や記録時環境状態に合わせたプリキュアエネルギー、ポストキュアエネルギー、記録エネルギーの最適化を提供するものである。
【００３０】
図２は、実施例１のホログラム記録再生装置の多重記録再生におけるホログラム媒体のページ番号対再生光量の関係図である。
【００３１】
本図は、図１の累積露光エネルギー対再生光量の関係図を多重記録再生のモデルに変換したものであり、横軸が多重記録再生における同一ブックのページ番号、縦軸が再生光量を示しており、その関係線は、同一ブックにおけるページ番号対再生光量の関係を表す。
【００３２】
本図のページ番号対再生光量の関係線は、記録媒体の状態を示しており、図１と同様に、左端から、点線で示した保護領域、実線で示した記録領域、破線で示した不安定領域、一点鎖線で示した安定領域、の４つの領域に分割される。
【００３３】
本図の本多重記録再生のモデルの関係線から、次のことが考察できる。
【００３４】
保護領域から記録領域への移行に注目すると、多重記録実施ページ番号（ページ数）相当の累積記録エネルギーがプリキュアエネルギー相当に到達したページから、再生光量が所定の値で安定する記録領域に到達している。言い換えると、安定した所定の値の再生光量を得られ始めたページ番号（Ｐ１１あるいはＰ２１）までの累積記録エネルギーが、プリキュアエネルギーであることを示している。
【００３５】
記録領域から不安定領域への移行に注目すると、多重記録実施ページ番号（ページ数）相当の累積記録エネルギーが記録領域に割り当てられるエネルギー相当に到達したページから、再生光量が減少する不安定領域に到達している。言い換えると、記録領域の始端（保護領域の終端）のページ番号（Ｐ１１あるいは２１）から、再生光量の減少傾向を得られ始めたページ番号（Ｐ１２あるいはＰ２２）までの累積記録エネルギーが、記録領域に割り当てられるエネルギーであることを示している。
【００３６】
不安定領域から安定領域への移行に注目すると、多重記録ページ番号（ページ数）相当の累積記録エネルギーがポストキュアエネルギー相当に到達したページから、再生光量がゼロの値で安定する安定領域に到達している。言い換えると、不安定領域の始端（記録領域の終端）のページ番号（Ｐ１２あるいは２２）から、安定したゼロの値の再生光量を得られ始めたページ番号（Ｐ１３あるいはＰ２３）までの累積記録エネルギーが、ポストキュアエネルギーであることを示している。
【００３７】
安定領域に注目すると、再生光量がゼロの値で安定する安定領域に到達したページから、多重記録再生の最終ページ番号まで、安定領域が継続している。言い換えると、多重記録の最終ページ番号（Ｐａｌｌ）までに、保護領域と、記録領域と、不安定領域と、安定領域の一部の領域と、を含んでおり、一度の多重記録再生によるエネルギーの最適値学習で、プリキュアエネルギー、記録エネルギー、ポストキュアエネルギーの全ての最適値を学習できることを示している。
【００３８】
上述の考察結果に着眼し、次のような本実施例の基本アイデアを考案した。
【００３９】
本実施例の基本アイデアは、エネルギー学習処理として、累積露光エネルギーがゼロの状態のホログラム媒体に対して、通常と同一の多重記録、多重再生を実施し、多重再生時の各ページの再生光量から、プリキュアエネルギー、記録エネルギー、ポストキュアエネルギーの最適値を決定する、というものである。
【００４０】
この本実施例の基本アイデアによれば、エネルギー学習処理が通常と同一の多重記録再生でよいため、特許文献１と異なり、ホログラムの状態を判定要素とした高精度のエネルギー最適化技術を提供できる。
【００４１】
図３は、実施例１のホログラム記録再生装置のブロック図である。
【００４２】
本実施例の装置は、ホログラム媒体２に対して、情報が重畳された光を介して情報を多重記録再生するホログラム記録再生装置１であって、多重記録の前露光、後露光処理であるプリキュア、ポストキュアにおけるキュア光を照射するキュア光学部１１、キュア光学部１１を用いて、所定のプリキュアエネルギー、ポストキュアエネルギーでプリキュア、ポストキュアを実施するキュア部１２、多重記録再生における信号光と参照光との照射する記録再生光学部１３、記録再生光学部１３を用いて、所定の記録エネルギーで所定の記録情報を多重記録、または、参照光を用いて、所定の再生エネルギーで所定の記録情報を多重再生する多重記録再生部１４と、キュア部と多重記録再生部の制御を実施する制御部１５と、を備えている。
【００４３】
図４は、実施例１のホログラム記録再生装置１における動作フロー図である。
【００４４】
本動作フローは制御部１５により制御され、所定の契機で各種エネルギーの最適化を実施する学習手順と、所定の契機で多重記録を実施する記録手順と、所定の契機で多重再生を実施する再生手順と、が含まれる。
【００４５】
図４ａの学習手順では、Ｓ１で多重記録再生部１４は、各種エネルギーの学習動作を実施する。
【００４６】
図４ｂの記録手順では、Ｓ２でキュア部１２はプリキュア動作を、Ｓ３で多重記録再生部１４は多重記録動作を、Ｓ４でキュア部１２はポストキュア動作を、実施する。
【００４７】
図４ｃの再生動作では、Ｓ５で多重記録再生部１４は多重再生を実施する。
【００４８】
図５は、実施例１のホログラム記録再生装置における、図４のエネルギー学習動作Ｓ１、プリキュア動作Ｓ２、多重記録動作Ｓ３、ポストキュア動作Ｓ４、および、多重再生動作Ｓ５のそれぞれの詳細な動作フロー図である。
【００４９】
図５ａのエネルギー学習動作Ｓ１では、Ｓ１１で、ホログラム媒体の所定の学習用領域と所定の学習用記録エネルギーと所定の学習用記録情報とを記録条件として、多重記録処理を実施する。Ｓ１２で、ホログラム媒体の所定の学習用領域と所定の学習用再生エネルギーを再生条件として、多重再生処理を実施する。Ｓ１３で、多重再生Ｓ１２で得た多重再生内の単一再生（ページ）毎の再生光量を学習用情報として、プリキュアエネルギー、記録エネルギー、ポストキュアエネルギーの最適化処理を実施する。
【００５０】
図５ｂのプリキュア動作Ｓ２では、Ｓ２１で、ホログラム媒体の所定の通常用領域とエネルギー最適化動作Ｓ１で得た学習最適化プリキュアエネルギーをキュア条件として、プリキュア処理を実施する。
【００５１】
図５ｃの記録動作Ｓ３では、Ｓ３１で、ホログラム媒体の所定の通常用領域とエネルギー最適化動作Ｓ１で得た学習最適化記録エネルギーと所定の通常用記録情報とを記録条件として、多重記録処理を実施する。
【００５２】
図５ｄのポストキュア動作Ｓ４では、Ｓ４１で、ホログラム媒体の所定の通常用領域とエネルギー最適化動作Ｓ１で得た学習最適化ポストキュアエネルギーをキュア条件として、ポストキュア処理を実施する。
【００５３】
図５ｅの再生動作Ｓ５では、Ｓ５１で、ホログラム媒体の所定の通常用領域と所定の通常用再生エネルギーを再生条件として、多重再生処理を実施する。
【００５４】
図６は、実施例１のホログラム記録再生装置における制御部のエネルギー最適化の処理フロー図である。
【００５５】
図５ａのＳ１３に示す本実施例のエネルギー最適化の処理フローは、プリキュアエネルギー最適化処理と、記録エネルギー最適化処理と、ポストキュアエネルギー最適化処理と、を含む。
【００５６】
図６ａのプリキュアエネルギー最適化処理では、Ｓ１３１１で、学習時保護領域多重数として、単一再生（ページ）毎の再生光量が所定の値で傾きゼロと見なせる状態に遷移するまでの多重数の導出を実施する。Ｓ１３１２で、学習最適化プリキュアエネルギーとして、学習時保護領域多重数で与えた累積記録エネルギーの導出を実施する。
【００５７】
図６ｂの記録エネルギー最適化処理では、Ｓ１３２１で、学習時記録領域多重数として、単一再生（ページ）毎の再生光量が所定の値で傾きゼロと見なせる状態の継続する多重数の導出を実施する。Ｓ１３２２で、学習最適化記録エネルギーとして、学習時記録領域多重数で与えた累積記録エネルギーの導出を実施する。
【００５８】
図６ｃのポストキュアエネルギー最適化処理では、Ｓ１３３１で、学習時不安定領域多重数として、単一再生（ページ）毎の再生光量が減少開始からゼロと見なせる状態に遷移するまでの多重数の導出を実施する。Ｓ１３３２で、学習最適化ポストキュアエネルギーとして、学習時不安定領域多重数で与えた累積記録エネルギーの導出を実施する。
【００５９】
なお、本実施例で説明を割愛したが、エネルギーは、パワーとその継続時間との積和の関係にあることは公知である。例えば、本実施例の所定の光エネルギーは、所定の光パワーとその所定の継続時間との積和の関係を利用するものである。
【００６０】
本実施例のホログラム記録再生装置への効果は、以下のとおりである。
【００６１】
装置が本来持っている基本的な構成要素である多重記録再生部を利用して、ホログラムの状態を判定要素としたプリキュアエネルギー、記録エネルギー、ポストキュアエネルギーの最適化学習が可能になる。すなわち、高精度のプリキュアエネルギー、記録エネルギー、ポストキュアエネルギーの最適化が可能になり、ホログラム媒体のもつ情報記憶キャパシティの最大限の有効活用が可能になる。
【００６２】
本実施例のホログラム記録再生装置の変形例は、以下のとおりである。
【００６３】
プリキュアエネルギー、記録エネルギー、ポストキュアエネルギーの最適化処理における学習用情報を、多重再生で得た多重再生内の単一再生（ページ）毎の再生可否、あるいは、再生情報の正誤情報としても、同様の効果が得られる。
【００６４】
また、エネルギー学習動作を実施するホログラム媒体の所定の学習用領域は、ホログラム媒体の製造方法による累積露光エネルギー対再生光量の関係に差分が出てしまう複数の領域とすることにより、より細かなエネルギー最適化学習が可能になる。
【００６５】
さらに、一度の多重記録再生によるエネルギーの最適値学習の対象を、プリキュアエネルギーのみ、プリキュアエネルギーと記録エネルギー、または、プリキュアエネルギーと記録エネルギーとポストキュアエネルギーのいずれか、としても、同様の効果が得られる。
【００６６】
さらに、また、エネルギー学習動作における記録条件である所定の学習用記録エネルギーを、記録媒体の状態である保護領域、記録領域、不安定領域、安定領域の各領域の境界付近で小さく、その他領域では大きくすることにより、より細かなエネルギー最適化学習が可能になる。さらに、この場合、多重記録再生部による一度の記録再生で扱える所定のページ数をエネルギー最適化学習の観点で有効活用できるので、一度のエネルギー最適化学習で、プリキュアエネルギーと記録エネルギーとポストキュアエネルギーとのうち複数のエネルギーの各種学習が可能になる。
【実施例２】
【００６７】
本発明実施例２のホログラム記録再生装置を説明する。
【００６８】
図７は、実施例２における学習手順の動作フロー図である。実施例１と異なる点は、学習手順として、エネルギー学習動作に加え、パワー波形学習動作も有する点である。
【００６９】
図７の学習手順では、Ｓ６で、Ｓ１で得た最適化エネルギーを発生させるパワー値とその時間変化で定義されるパワー波形の学習動作も実施する。
【００７０】
図８は、実施例２におけるパワー波形学習動作Ｓ６および記録動作Ｓ３ａの詳細な動作フロー図である。
【００７１】
図８ａのパワー波形学習動作Ｓ６では、Ｓ６１で、ホログラム媒体の所定の学習用領域とＳ１で得た学習最適化記録エネルギーを発生させる所定の異なる複数の学習用記録パワー波形群と所定の学習用記録情報とを記録条件として、多重記録処理を実施する。Ｓ６２で、ホログラム媒体の所定の学習用領域と所定の学習用再生エネルギーを再生条件として、多重再生処理を実施する。Ｓ６３で、多重再生Ｓ６２で得た多重再生内の単一再生（ページ）毎の再生光量を学習用情報として、パワー波形の最適化処理を実施する。ここで、パワー波形の最適化処理とは、高い記録品質や記録速度を得られるパワー波形を導出することである。
【００７２】
図８ｂの記録動作Ｓ３ａでは、Ｓ３１ａで、ホログラム媒体の所定の通常用領域とエネルギー最適化動作Ｓ６で得た学習最適化記録パワー波形と所定の通常用記録情報とを記録条件として、多重記録処理を実施する。
【００７３】
本実施例のホログラム記録再生装置への効果の一例として、記録エネルギーの最適化学習の結果に基づいた学習用記録パワー波形の最適化学習が可能になる。これにより、高い記録品質、あるいは、高い記録速度、あるいは、高い品質対速度バランスの多重記録が可能になる。
【００７４】
本実施例のホログラム記録再生装置の変形例の一例として、パワー波形の最適化学習の対象を、プリキュア、ポストキュア、再生エネルギーとすることで、本実施例と同様の効果が得られる。
【実施例３】
【００７５】
本発明実施例３のホログラム記録再生装置を説明する。
【００７６】
図９は、実施例３のホログラム記録再生装置９０１のブロック図である。実施例１のホログラム記録再生装置１と異なる構成は、キュア部１２は、記録再生光学部１３の参照光を用いて、所定のプリキュアエネルギーでプリキュアを実施し、記録再生光学部１３は、プリキュアにおける参照光の照射も実施する構成である。
【００７７】
本実施例のホログラム記録再生装置への効果は、以下の通りである。
【００７８】
参照光を用いたプリキュアを実施する装置構成において、プリキュアエネルギーの最適化が可能になる。すなわち、一般的にキュア光より照射領域が小さな参照光を用いたプリキュアにおけるプリキュアエネルギーの最適化が可能になり、ブック単位でのプリキュアが可能になる。
【００７９】
また、プリキュアに用いる参照光をプリキュアエネルギー最適化に流用する装置構成において、得られた学習最適化プリキュアエネルギーを光源の異なるキュア光のエネルギーに変換する必要がなく、非常に高い精度のプリキュアが可能になる。
【００８０】
本実施例のホログラム記録再生装置の変形例は、以下のとおりである。
【００８１】
参照光の利用の対象を、ポストキュアエネルギーとした装置構成でも、同様の効果が得られる。また、参照光の流用の対象を、プリキュアエネルギーと、ポストキュアエネルギーと、の双方した装置構成でも、すなわち、キュア光源が不要でコストダウンできる装置でも、同様な効果が得られる。
【実施例４】
【００８２】
本発明実施例４のホログラム記録再生装置を説明する。
【００８３】
図１０は、実施例４のホログラム記録再生装置における多重記録再生におけるページ番号対再生光量の関係図である。本図のページ番号対再生光量の関係線は、実施例１の関係線であって、保護領域から記録領域への移行にのみ注目することで、プリキュアエネルギーのみの最適化行うものである。
【００８４】
言い換えると、多重記録の最終ページ番号（Ｐａｌｌ）までに、保護領域と、記録領域の一部の領域と、を含んでおり、一度の多重記録再生によるエネルギーの最適値学習で、プリキュアエネルギーのみの最適値を学習できることを示している。
【００８５】
図１１は、実施例４における動作フロー図である。実施例１と異なる点は以下のとおりである。
【００８６】
図１１ａのエネルギー学習動作Ｓ１ｂでは、Ｓ１３ｂで、多重再生Ｓ１２で得た多重再生内の単一再生（ページ）毎の再生光量を学習用情報として、プリキュアエネルギーのみの最適化処理を実施する。
【００８７】
図１１ｂの記録動作Ｓ３ｂでは、Ｓ３１ｂで、ホログラム媒体の所定の通常用領域と所定の通常用記録エネルギーと所定の通常用記録情報とを記録条件として、多重記録処理を実施する。
【００８８】
図１１ｃのポストキュア動作Ｓ４ｂでは、Ｓ４１ｂで、ホログラム媒体の所定の通常用領域と所定の通常用ポストキュアエネルギーをキュア条件として、ポストキュア処理を実施する。
【００８９】
図１２は、実施例４のエネルギー最適化の処理フロー図である。実施例１と異なる点は以下のとおりである。
【００９０】
図１２のプリキュアエネルギー最適化処理では、Ｓ１３１１ｂで、学習時保護領域多重数として、多重記録の最終ページまたは途中のページから遡る順番で、単一再生（ページ）毎の再生光量が所定の値で傾きゼロと見なせる状態に遷移するまでの多重数の導出を実施する。
【００９１】
本実施例のホログラム記録再生装置への効果は、次のようなものが挙げられる。
【００９２】
一度の多重記録再生によるエネルギーの最適値学習の対象を、プリキュアエネルギーのみのとすることにより、多重記録内の単一記録（ページ）毎の記録エネルギーが小さく出来る。すなわち、高い分解能でプリキュアエネルギーの最適化が可能になり、高い精度でプリキュアエネルギーの最適化学習が可能になる。
【００９３】
また、図１０のような特性を持つ媒体に対して、単一再生（ページ）毎の再生光量が所定の値で傾きゼロと見なせる状態に遷移するまでの多重数の導出を、多重記録の最終ページまたは途中のページから遡る順番で実施することにより、多重記録の先頭ページから順番で実施するより、その導出処理が少なくて済む。これにより、高い速度でプリキュアエネルギーの最適化学習が可能になる。
【００９４】
本実施例のホログラム記録再生装置の変形例は、以下のとおりである。
【００９５】
エネルギー学習動作の多重記録処理で記録するページの順番を再生動作の反対にすることにより、再生動作の最初のページで、エネルギー学習動作で記録した情報を取得することが可能になる。また、エネルギー学習動作の多重再生処理で再生するページの順番をエネルギー学習動作の多重記録処理の反対にすることにより、最適化学習に不要な保護領域の前段部分の再生が不要にでき、最適化学習の高速化が可能になる。
【００９６】
また、エネルギー学習動作の多重再生処理で再生するページの開始を保護領域から記録領域への移行直前に相当するページとすることにより、最適化学習に不要な保護領域の前段部分の再生が不要にでき、最適化学習の高速化が可能になる。
【００９７】
さらに、エネルギー学習動作の多重記録処理で記録するページの数を再生動作のものより多くすることにより、より高い精度でプリキュアエネルギーの最適化学習が可能になる。また、エネルギー学習動作の多重記録処理で記録するページの数を再生動作のものより少なくすることにより、最適化学習の高速化が可能になる。
【実施例５】
【００９８】
本発明実施例５のホログラム記録再生装置を説明する。
【００９９】
図１３は、実施例５における制御部の動作フロー図である。実施例１と異なる点は、図１３のエネルギー学習動作Ｓ１ｃの場合、Ｓ１１ｃで、ホログラム媒体の所定の学習用領域と所定の学習用記録エネルギーと信号光行列が全て１（発光状態）である学習用記録情報とを記録条件として、多重記録処理を実施する。
【０１００】
本実施例のホログラム記録再生装置への効果は、次のようなものが挙げられる。
【０１０１】
多重記録内の単一記録（ページ）の信号光行列を全て１（発光状態）とすることにより、その記録エネルギーを大きく出来る。すなわち、単一記録（ページ）毎の記録エネルギーの最大化が可能になる。これにより、エネルギー最適化学習の対象である保護領域、記憶領域、不安定領域が広い場合においても、最適化学習に必要な多重記録再生の多重数を小さく抑えられる。
【０１０２】
本実施例のホログラム記録再生装置の変形例は、以下のとおりである。
【０１０３】
エネルギー最適化学習における多重記録内の単一記録（ページ）毎の信号光行列に、学習用記録エネルギー等の記録条件を重畳して、これを記録しておくことで、例えば、ホログラム媒体を取り出し後、再装着した時等の別契機においても、既にエネルギー最適化学習として記憶済みのもの流用できるので、エネルギー学習動作フローの多重記録処理をスキップすることが出来る。すなわち、エネルギー学習動作フローの多重記録処理を一度行えば、その多重記録状態を、別契機のエネルギー最適化学習に流用できる。これにより、記憶可能な領域が残っているホログラム媒体の再装着時のエネルギー最適化学習処理を高速に実施できる。
【０１０４】
また、エネルギー最適化学習における多重記録内の単一記録毎の信号光行列への重畳する記録条件に、媒体温度、学習日等を加えることで、再度実施するエネルギー最適化学習において、温度補正、経年劣化補正等が行える。
【０１０５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。変形例として、下記の構成が挙げられる。
【０１０６】
変形例１として、ホログラム媒体に対して、配列状に情報を重畳した信号光と参照光との干渉縞を１ページのホログラムとし、さらに、複数ページを１ブックとして、多重記録するホログラム記録再生装置であって、多重記録の前露光処理であるプリキュアにおけるキュア光の照射を実施するキュア光学部、前記キュア光学部を用いて、プリキュアを実施するキュア部、多重記録における信号光と参照光との照射と、多重再生における参照光の照射と再生光強度の検出と、を実施する記録再生光学部、前記記録再生光学部を用いて、多重記録と多重再生と多重再生時の再生光強度の測定とを実施する多重記録再生部と、前記キュア部と、前記多重記録再生部と、前記ホログラム記録再生装置の外部との入力情報及び出力情報との入出力と、を制御する制御部と、を備え、前記制御部は、照射エネルギーの学習を行う学習処理と、多重記録の前露光を行うプリキュア処理と、を有し、学習処理として、プリキュア未済の第１の領域に対して、前記多重記録再生部を用いて、第１の多重記録を実施し、前記第１の多重記録済領域に対して、前記多重記録再生部を用いて、第１の多重再生と第１の再生光強度測定を実施し、前記第1の多重記録で各ページに照射するエネルギーの累積値である累積照射エネルギーと、前記第１の再生光強度測定の結果との関係性に基づき、前記キュア部がプリキュア時に照射するプリキュアエネルギーの導出を実施し、プリキュア処理として、プリキュア未済の第２の領域に対して、前記キュア部を前記学習処理で導出した前記プリキュアエネルギーで用いて、プリキュアを実施する、ことを特徴とするホログラム記録再生装置。
【０１０７】
変形例２として、変形例１に記載のホログラム記録再生装置であって、前記制御部は、前記学習処理として、前記第１の多重記録における全ページ分の前記累積照射エネルギーを、前記ホログラム媒体のプリキュアエネルギーの推奨値より大きくする、ことを特徴とするホログラム記録再生装置。
【０１０８】
変形例３として、変形例１または２に記載のホログラム記録再生装置であって、前記制御部は、前記学習処理として、前記ホログラム媒体のプリキュアエネルギーの推奨値と、プリキュアエネルギーと記録エネルギーとの推奨値の合計値と、プリキュアエネルギーと記録エネルギーとポストキュアの推奨値の合計値と、とのうち少なくとも１つの値の近傍を前記ホログラム媒体の状態遷移領域とし、前記第１の多重記録における前記累積照射エネルギーが前記状態遷移領域の範囲内となるページでは、照射エネルギーを、前記状態遷移領域の範囲外のページより小さくする、ことを特徴とするホログラム記録再生装置。
【０１０９】
変形例４として、変形例１ないし３のいずれかに記載のホログラム記録再生装置であって、前記制御部は、前記出力情報の多重再生を行う再生処理を有し、前記再生処理として、多重記録済みの前記第２の領域に対して、前記多重記録部を用いて、第２の多重再生を実施し、前記学習処理として、前記第１の多重記録で記録する最終ページを、前記第２の多重再生の開始ページとする、ことを特徴とするホログラム記録再生装置。
【０１１０】
変形例５として、変形例１ないし４のいずれかに記載のホログラム記録再生装置であって、前記制御部は、前記学習処理として、前記第１の多重記録で記録する前記配列情報を、少なくとも１つのページで前記ホログラム媒体の識別情報とする、ことを特徴とするホログラム記録再生装置。
【０１１１】
変形例６として、変形例１ないし変形例５のいずれかに記載のホログラム記録再生装置であって、前記制御部は、前記学習処理として、前記第１の多重記録で記録する前記配列情報を、少なくとも１つのページで前記第１の多重記録実施時の記録エネルギーや媒体温度情報や日付情報等の学習情報とする、ことを特徴とするホログラム記録再生装置。
【０１１２】
変形例７として、変形例２ないし変形例３のいずれかに記載のホログラム記録再生装置であって、前記プリキュアエネルギー、前記記録エネルギー、前記ポストキュアエネルギーの各種エネルギー推奨値は、媒体製造者が媒体種別毎に推奨する値である、ことを特徴とするホログラム記録再生装置。
【０１１３】
変形例８として、変形例７に記載のホログラム記録再生装置であって、前記各種エネルギー推奨値は前記媒体内に記録されており、前記制御部は前記多重記録再生部を用いて前記媒体内の前記各種エネルギー推奨値を取得する、ことを特徴とするホログラム記録再生装置。
【０１１４】
変形例９として、変形例７に記載のホログラム記録再生装置であって、前記媒体種別は前記媒体内に記録されており、前記媒体種別毎の前記各種エネルギー推奨値は前記制御部内に保持しており、前記制御部は、多重記録再生部を用いて前記媒体内の前記媒体種別を取得し、取得した前記媒体種別から前記各種エネルギー推奨値を導出する、ことを特徴とするホログラム記録再生装置。
【０１１５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、SSD（Solid State Drive）等の記録装置、または、ICカード、SDカード、DVD等の記録媒体に置くことができる。
【符号の説明】
【０１１６】
１…ホログラム記録再生装置
２…ホログラム媒体
１１…キュア光学部
１２…キュア部
１３…記録再生光学部
１４…多重記録再生部
１５…制御部
【図１】
2016038926.tif 000003
【図２】
2016038926.tif 000004
【図３】
2016038926.tif 000005
【図４ａ】
2016038926.tif 000006
【図４ｂ】
2016038926.tif 000007
【図４ｃ】
2016038926.tif 000008
【図５ａ】
2016038926.tif 000009
【図５ｂ】
2016038926.tif 000010
【図５ｃ】
2016038926.tif 000011
【図５ｄ】
2016038926.tif 000012
【図５ｅ】
2016038926.tif 000013
【図６ａ】
2016038926.tif 000014
【図６ｂ】
2016038926.tif 000015
【図６ｃ】
2016038926.tif 000016
【図７】
2016038926.tif 000017
【図８ａ】
2016038926.tif 000018
【図８ｂ】
2016038926.tif 000019
【図９】
2016038926.tif 000020
【図１０】
2016038926.tif 000021
【図１１ａ】
2016038926.tif 000022
【図１１ｂ】
2016038926.tif 000023
【図１１ｃ】
2016038926.tif 000024
【図１２】
2016038926.tif 000025
【図１３】
2016038926.tif 000026